(57)【要約】無線ネットワークにおけるリーケッジベースのメトリックとの関連付けを実行するための技法が説明されている。関連付けは、局(例、ＵＥまたはリレー)についてのサービス提供中のノード(例、基地局またはリレー)を選択するために実行されることができる。一設計では、少なくとも1つのメトリックは、局による起こりうる関連付けのために、少なくとも1つの候補ノードについて決定されることができる。各候補ノードについてのメトリックは、候補ノードのリーケッジに基づいて決定されることができる。候補ノードのリーケッジは、候補ノードによってサービス提供されない局(該局を除く)における候補ノードに起因した干渉を含むことができる。各候補ノードについてのメトリックは、信号対リーケッジ比（ＳＬＲ）、ジオメトリ対リーケッジ比（ＧＬＲ）、または、スループット対リーケッジ比（ＴＬＲ）を含むことができる。局についてのサービス提供中のノードは、少なくとも１つのメトリックに基づいて、少なくとも1つの候補ノードの中から選択されることができる。【選択図】図４
2012521682.tif 000002
【特許請求の範囲】
【請求項１】
無線通信のための方法であって、下記を備える方法：
局による起こりうる関連付けのために、少なくとも１つの候補ノードについての少なくとも１つのメトリックを決定すること、なお、各候補ノードについてのメトリックは、前記候補ノードのリーケッジに基づいて決定される；および、
前記少なくとも１つのメトリックに基づいて、前記少なくとも１つの候補ノードの中から前記局についてのサービス提供中のノードを選択すること。
【請求項２】
各候補ノードの前記リーケッジは、前記候補ノードによってサービス提供されない前記局を除いた局における前記候補ノードに起因した干渉を備える、請求項１に記載の方法。
【請求項３】
各候補ノードの前記リーケッジは、前記候補ノードによってサービス提供される局における前記候補ノードについての受信信号電力をさらに備える、請求項２に記載の方法。
【請求項４】
各候補ノードの前記リーケッジは、前記候補ノードと前記候補ノードによってサービス提供されない前記局との間のチャネル利得に基づいて決定される、請求項２に記載の方法。
【請求項５】
各候補ノードの前記リーケッジは、前記候補ノードの、名目送信電力スペクトル密度（ＰＳＤ）、または、平均送信ＰＳＤ、に基づいて決定される、請求項１に記載の方法。
【請求項６】
各候補ノードについての前記メトリックは、前記局における前記候補ノードについての望ましい信号と前記候補ノードの前記リーケッジとに基づいて決定された、信号対リーケッジ比（ＳＬＲ）を備える、請求項１に記載の方法。
【請求項７】
各候補ノードについての前記メトリックは、前記候補ノードについての前記局によって達成されるジオメトリと前記候補ノードの前記リーケッジとに基づいて決定された、ジオメトリ対リーケージ比（ＧＬＲ）を備える、請求項１に記載の方法。
【請求項８】
各候補ノードについての前記メトリックは、前記候補ノードについての前記局の推定されたスループットと前記候補ノードの前記リーケッジとに基づいて決定された、スループット対リーケッジ比（ＴＬＲ）を備える、請求項１に記載の装置。
【請求項９】
前記候補ノードについての前記局の前記スループットは、前記候補ノードについての前記局によって達成されるジオメトリに基づいて推定される、請求項８に記載の方法。
【請求項１０】
前記候補ノードについての前記局の前記スループットは、前記候補ノードによって前記局に対して割り当てられたリソースと、前記割り当てられたリソースについての前記候補ノードの送信電力スペクトル密度（ＰＳＤ）レベルと、前記候補ノードと前記局との間のチャネル利得と、に基づいて推定される、請求項８に記載の方法。
【請求項１１】
前記候補ノードについての前記局の前記スループットは、前記候補ノードのバックホールキャパシティ、および前記候補ノードによって現在サービス提供される局の数、のいずれか一方またはその両方に基づいて推定される、請求項８に記載の方法。
【請求項１２】
局によって使用するための情報を送信して、関連付けのためにメトリックを計算すること、をさらに備え、前記情報は、ノードの送信電力スペクトル密度（ＰＳＤ）、または、前記ノードのリーケッジ、または、前記ノードのバックホールキャパシティ、または、前記ノードによって現在サービス提供される局の数、または、それらの組み合わせ、を備える、請求項１に記載の方法。
【請求項１３】
前記少なくとも１つの候補ノードについての前記少なくとも１つのメトリックを決定すること、および、前記サービス提供中のノードを選択することは、前記局によって実行される、請求項１に記載の方法。
【請求項１４】
前記少なくとも１つの候補ノードについての前記少なくとも１つのメトリックを決定すること、および、前記サービス提供中のノードを選択することは、前記局の現在のサービス提供中のノードによって、または、指定されたエンティティによって、実行される、請求項１に記載の方法。
【請求項１５】
前記局は、ユーザ機器（ＵＥ）を備え、前記少なくとも１つの候補ノードは、少なくとも１つの基地局、または、少なくとも１つのリレー、または、少なくとも１つの基地局および少なくとも１つのリレーの両方、を備える、請求項１に記載の方法。
【請求項１６】
前記局は、リレーを備え、前記少なくとも１つの候補ノードは、少なくとも１つの基地局または少なくとも１つのリレーを備える、請求項１に記載の方法。
【請求項１７】
下記をさらに備える請求項１に記載の方法：
前記サービス提供中のノードによって前記局に対して割り当てられた少なくとも１つのリソースを決定すること、なお、前記少なくとも１つのリソースは、リソース分割によって前記サービス提供中のノードに対して割り付けられた１組のリソースからのものであり、前記リソース分割は、前記局について選択された前記サービス提供中のノードを考慮する；および、
前記少なくとも１つのリソース上で前記局と前記サービス提供中のノードとの間で通信すること。
【請求項１８】
無線通信のための装置であって、下記を備える装置：
局による起こりうる関連付けのために、少なくとも１つの候補ノードについての少なくとも１つのメトリックを決定するための手段、なお、各候補ノードについてのメトリックは、前記候補ノードのリーケッジに基づいて決定される；および、
前記少なくとも１つのメトリックに基づいて、前記少なくとも１つの候補ノードの中から前記局についてのサービス提供中のノードを選択するための手段。
【請求項１９】
各候補ノードの前記リーケッジは、前記候補ノードによってサービス提供されない前記局を除いた局における前記候補ノードに起因した干渉を備える、請求項１８に記載の装置。
【請求項２０】
各候補ノードについての前記メトリックは、前記局における前記候補ノードについての望ましい信号と前記候補ノードの前記リーケッジとに基づいて決定された、信号対リーケッジ比（ＳＬＲ）を備える、請求項１８に記載の装置。
【請求項２１】
各候補ノードについての前記メトリックは、前記候補ノードについての前記局によって達成されるジオメトリと前記候補ノードの前記リーケッジとに基づいて決定された、ジオメトリ対リーケージ比（ＧＬＲ）を備える、請求項１８に記載の装置。
【請求項２２】
各候補ノードについての前記メトリックは、前記候補ノードについての前記局の推定されたスループットと前記候補ノードの前記リーケッジとに基づいて決定された、スループット対リーケッジ比（ＴＬＲ）を備える、請求項１８に記載の装置。
【請求項２３】
局によって使用するための情報を送信して、関連付けのためにメトリックを計算するための手段、をさらに備え、前記情報は、ノードの送信電力スペクトル密度（ＰＳＤ）、または、前記ノードのリーケッジ、または、前記ノードのバックホールキャパシティ、または、前記ノードによって現在サービス提供される局の数、または、それらの組み合わせ、を備える、請求項１８に記載の装置。
【請求項２４】
下記をさらに備える請求項１８に記載の装置：
前記サービス提供中のノードによって前記局に対して割り当てられた少なくとも１つのリソースを決定するための手段、なお、前記少なくとも１つのリソースは、リソース分割によって前記サービス提供中のノードに対して割り付けられた１組のリソースからのものであり、前記リソース分割は、前記局について選択された前記サービス提供中のノードを考慮する；および、
前記少なくとも１つのリソース上で前記局と前記サービス提供中のノードとの間で通信するための手段。
【請求項２５】
無線通信のための装置であって、下記を実行するように構成された少なくとも１つのプロセッサを備える装置：
局による起こりうる関連付けのために、少なくとも１つの候補ノードについての少なくとも１つのメトリックを決定すること、なお、各候補ノードについてのメトリックは、前記候補ノードのリーケッジに基づいて決定される；および、
前記少なくとも１つのメトリックに基づいて、前記少なくとも１つの候補ノードの中から前記局についてのサービス提供中のノードを選択すること。
【請求項２６】
各候補ノードの前記リーケッジは、前記候補ノードによってサービス提供されない前記局を除いた局における前記候補ノードに起因した干渉を備える、請求項２５に記載の装置。
【請求項２７】
各候補ノードについての前記メトリックは、前記局における前記候補ノードについての望ましい信号と前記候補ノードの前記リーケッジとに基づいて決定された、信号対リーケッジ比（ＳＬＲ）を備える、請求項２５に記載の装置。
【請求項２８】
各候補ノードについての前記メトリックは、前記候補ノードについての前記局によって達成されるジオメトリと前記候補ノードの前記リーケッジとに基づいて決定された、ジオメトリ対リーケージ比（ＧＬＲ）を備える、請求項２５に記載の装置。
【請求項２９】
各候補ノードについての前記メトリックは、前記候補ノードについての前記局の推定されたスループットと前記候補ノードの前記リーケッジとに基づいて決定された、スループット対リーケッジ比（ＴＬＲ）を備える、請求項２５に記載の装置。
【請求項３０】
前記少なくとも１つのプロセッサは、局によって使用するための情報を送信して、関連付けのためにメトリックを計算するように構成され、前記情報は、ノードの送信電力スペクトル密度（ＰＳＤ）、または、前記ノードのリーケッジ、または、前記ノードのバックホールキャパシティ、または、前記ノードによって現在サービス提供される局の数、または、それらの組み合わせ、を備える、請求項２５に記載の装置。
【請求項３１】
前記少なくとも１つのプロセッサは、下記を実行するように構成される、請求項２５に記載の装置：
前記サービス提供中のノードによって前記局に対して割り当てられた少なくとも１つのリソースを決定すること、なお、前記少なくとも１つのリソースは、リソース分割によって前記サービス提供中のノードに対して割り付けられた１組のリソースからのものであり、前記リソース分割は、前記局について選択された前記サービス提供中のノードを考慮する；および、
前記少なくとも１つのリソース上で前記局と前記サービス提供中のノードとの間で通信すること。
【請求項３２】
コンピュータ可読媒体を備えるコンピュータプログラム製品であって、前記コンピュータ可読媒体は、下記のコードを備えるコンピュータプログラム製品：
局による起こりうる関連付けのために、少なくとも１つの候補ノードについての少なくとも１つのメトリックを少なくとも１つのコンピュータに決定させるためのコード、なお、各候補ノードについてのメトリックは、前記候補ノードのリーケッジに基づいて決定される；および、
前記少なくとも１つのメトリックに基づいて、前記少なくとも１つの候補ノードの中から前記局についてのサービス提供中のノードを前記少なくとも１つのコンピュータに選択させるためのコード。
【発明の詳細な説明】
【技術分野】
【０００１】
本開示は、一般的には通信に関し、より具体的には無線通信をサポートするための技術に関する。
【０００２】
本願は、２００９年３月１９日に出願され、ここでの譲受人に譲渡され、参照によりここに組み込まれる「LEAKAGE-BASED ASSOCIATION RULES IN HETEROGENEOUS NETWORKS」と題された米国仮出願番号第６１／１６１，６５５号の優先権を主張する。
【背景技術】
【０００３】
無線通信ネットワークは、音声、ビデオ、データ、パケットデータ、メッセージング、ブロードキャスト等のような様々な通信コンテンツを提供するように広く展開されている。これらの無線ネットワークは、利用可能なネットワークリソースを共有することによって、複数ユーザをサポートすることができる多元接続ネットワークであってもよい。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
無線通信ネットワークは、多数のユーザ機器（ＵＥ）のための通信をサポートすることができる多数の基地局を含むことができる。ＵＥは、ダウンリンクおよびアップリンクを介して基地局と通信することができる。ダウンリンク（または順方向リンク）は基地局からＵＥまでの通信リンクを指し、アップリンク（または逆方向リンク）は、ＵＥから基地局までの通信リンクを指す。
【０００５】
ＵＥは、１つまたは複数の基地局のカバレッジ内で配置されることができる。基地局は、ダウンリンクおよび/またはアップリンク上でＵＥにサービス提供するために選択されることができる。ＵＥについてのサービス提供中の基地局を選択するプロセスは、関連付け(association)、サーバー選択(server selection)などと呼ばれることができる。良好な性能が達成されることができるように、ＵＥについての適切なサービス提供中の基地局を選択することが望ましいことがある。
【発明の概要】
【０００６】
無線ネットワークにおけるリーケッジベースのメトリック(leakage-based metrics)との関連付けを実行するための技法がここにおいて説明されている。関連付けはまた、局についてのサービス提供中のノードを選択するために実行されることができる。ノードは、基地局またはリレーであることができ、局は、ＵＥまたはリレーであることができる。一設計では、少なくとも１つのメトリックは、局による起こりうる関連付けのために、少なくとも１つの候補ノードについて決定されることができる。各候補ノードについてのメトリックは、候補ノードのリーケッジに基づいて決定されることができる。候補ノードのリーケッジは、候補ノードによってサービス提供されない局（該局を除く）における候補ノードに起因した干渉を備えることができ、後述されるように、様々な方式でコンピュートされることができる。各候補ノードについてのメトリックは、信号対リーケッジ比（ＳＬＲ）、ジオメトリ対リーケッジ比（ＧＬＲ）、または、スループット対リーケッジ比（ＴＬＲ）、を備えることができ、それらは、後述されるようにコンピュートされることができる。局についてのサービス提供中のノードは、少なくとも1つのメトリックに基づいて少なくとも1つの候補ノードの中から選択されることができる。
【０００７】
一設計では、リソース分割は、１組のノードに対して利用可能なリソースを割り付けるために実行されることができる。リソース分割は、局について選択されたサービス提供中のノードを考慮に入れることができ、サービス提供中のノードに対して１組のリソースを割り付けることができる。少なくとも１つのリソースは、サービス提供中のノードによって局に対して割り当てられることができ、サービス提供中のノードに対して割り付けられた１組のリソースから選ばれることができる。局とサービス提供中のノードは、少なくとも１つのリソース上で通信することができる。
【０００８】
本開示の様々な態様および特徴は、下記でさらに詳細に説明される。
【図面の簡単な説明】
【０００９】
【図１】図１は、無線通信ネットワークを示す。
【図２】図２は、リーケッジベースのメトリックを使用している関連付けを示す。
【図３】図３は、リソース分割を実行するためのプロセスを示す。
【図４】図４は、通信をサポートするためのプロセスを示す。
【図５】図５は、通信をサポートするための装置を示す。
【図６】図６は、ノードと局のブロック図を示す。
【発明を実施するための形態】
【００１０】
ここに記載された技法は、ＣＤＭＡ、ＴＤＭＡ、ＦＤＭＡ、ＯＦＤＭＡおよびＳＣ−ＦＤＭＡ、および他のネットワークのような様々な無線通信ネットワークに使用されることができる。用語「ネットワーク（network）」と「システム（system）」はしばしば互換性をもって使用される。ＣＤＭＡネットワークは、ユニバーサル地上無線接続（ＵＴＲＡ）、ｃｄｍａ２０００などの無線技術をインプリメントすることができる。ＵＴＲＡは、広帯域ＣＤＭＡ（ＷＣＤＭＡ）およびＣＤＭＡの他の変形を含む。ｃｄｍａ２０００は、ＩＳ−２０００、ＩＳ−９５、およびＩＳ−８５６標準規格をカバーする。ＴＤＭＡネットワークは、モバイル通信のためのグローバルシステム（ＧＳＭ（登録商標））のような無線技術をインプリメントすることができる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．２０（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのような無線技術をインプリメントすることができる。ＵＴＲＡとＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの新しいリリースであり、ダウンリンク上ではＯＦＤＭＡを利用しアップリンク上ではＳＣ−ＦＤＭＡを利用する。ＵＴＲＡ、Ｅ−ＵＴＲＡ、ＬＴＥ、ＬＴＥ−ＡおよびＧＳＭは、「第３世代パートナーシッププロジェクト」(３ＧＰＰ)と称された組織の文書の中で説明されている。さらに、ｃｄｍａ２０００およびＵＭＢは、「第３世代パートナーシッププロジェクト２」(３ＧＰＰ２)と称された組織の文書の中で説明されている。ここで説明される技法は、無線ネットワークおよび無線技術と、他の無線ネットワークおよび無線技術に使用されることができる。
【００１１】
図１は、無線通信ネットワーク１００を示し、多数の基地局と他のネットワークエンティティを含むことができる。基地局は、ＵＥとリレーと通信するエンティティであることができ、ノード、ノードＢ、発展型ノードＢ（ｅＮＢ）、アクセスポイントなどとも呼ばれることができる。各基地局は、特定の地理領域に対して通信カバレッジを提供することができる。３ＧＰＰでは、用語「セル(cell)」は、基地局のカバレッジエリアおよび/またはこのカバレッジエリアにサービス提供する基地局のサブシステムを指すことができ、そしてそれは、用語が使用される文脈によって決まる。３ＧＰＰ２では、用語「セクタ」(sector)」また「セルセクタ(cell-sector)」は、基地局のカバレッジエリアおよび/またはこのカバレッジエリアをサービス提供する基地局のサブシステムを指すことができる。明瞭にするために、３ＧＰＰコンセプトの「セル」がここにおける説明の中で使用される。
【００１２】
基地局は、マクロセル、ピコセル、フェムトセル、および／または、他のタイプのセルについての通信カバレッジを提供することができる。マクロセルは、相対的に大きい地理領域（例えば半径数キロメートル）をカバーすることができ、サービス加入を伴ったＵＥによる制約されないアクセスを可能にすることができる。ピコセルは、相対的に小さい地理領域をカバーすることができ、サービス加入を伴ったＵＥによる制約されないアクセスを可能にすることができる。フェムトセルは、相対的に小さい地理領域（例、家庭）をカバーすることができ、フェムトセルとの関連付けを有するＵＥ（例えば、クローズド加入者グループ（ＣＳＧ）におけるＵＥ）による制約されたアクセスを可能にすることができる。図１で示される例では、無線ネットワーク１００は、マクロセルについてはマクロ基地局１１０および１１２、ピコセルについてはピコ基地局１１４、そして、フェムトセルについてはフェムト／ホーム基地局１１６、を含む。
【００１３】
無線ネットワーク１００はまた、リレー、例えばリレー１１８を含むことができる。リレーは、アップストリームエンティティ（例、基地局またはＵＥ）からデータの送信を受信し、ダウンストリームエンティティ（例、ＵＥまたは基地局）に対してデータの送信を送信するエンティティでありうる。リレーはまた、他のＵＥの送信をリレーするＵＥであることができる。リレーはまた、ノード、局、リレー局、リレー基地局、リレーノードなどとも呼ばれることができる。
【００１４】
無線ネットワーク１００は、異なるタイプである基地局、例えばマクロ基地局、ピコ基地局、フェムト基地局、リレー、などを含む異種ネットワークであることができる。これらの異なるタイプの基地局は、異なる送信電力レベル、異なるカバレッジエリア、そして、無線ネットワーク１００における干渉に対する異なる影響を有することができる。例えば、マクロ基地局は、高い送信電力レベル（例えば、２０ワットまたは４３ｄＢｍ）を有することができ、ピコ基地局とリレーは、より低い送信電力レベル（例えば、２ワットまた３３ｄＢｍ）を有することができ、フェムト基地局は、低い送信電力レベル（例えば、０．２ワットまたは２３ｄＢｍ）を有することができる。異なるタイプの基地局は、異なる最大送信電力レベルを有する異なる電力クラスに属することができる。
【００１５】
ネットワークコントローラ１３０は、１組の基地局に結合することができ、これらの基地局のための調整および制御を提供することができる。ネットワークコントローラ１３０は、バックホールを介して基地局と通信することができる。基地局はまた、バックホールを介して互いに通信することができる。
【００１６】
ＵＥ１２０は、無線ネットワーク１００全体にわたって分散しており、各ＵＥは、固定式(stationary)またはモバイルであってもよい。ＵＥは、局、端末、モバイル局、加入者ユニットなどとも呼ばれる。ＵＥは、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局などであることができる。ＵＥは、基地局、リレー、他のＵＥなどと通信可能であることができる。
【００１７】
ここにおける説明では、ノードは、基地局またはリレーであることができる。基地局は、マクロ基地局、ピコ基地局、フェムト基地局などであることができる。リレーにサービス提供するノードは、リレーのサービス提供中のノードと呼ばれる。ＵＥにサービス提供するノードは、ＵＥのサービス提供中のノードと呼ばれる。局は、ノードと通信するエンティティである。局は、ＵＥまたはリレーであることができる。あるシナリオでは、局はＵＥであってもよく、ノードは、基地局またはリレーであってもよい。別のシナリオでは、局はリレーであってもよく、ノードは、基地局であってもよい。
【００１８】
局(例、ＵＥまたはリレー)は、1つまたは複数のノードのカバレッジ内で配置されることができる。サービス提供中のノードは、最大ジオメトリ／信号強度、最小の経路損失、最大エネルギー/干渉効率、最大ユーザスループットなどのようなメトリックに基づいて、局について選択されることができる。ジオメトリは受信信号品質に関連し、そしてそれは、キャリア・オーバ・サーマル(carrier-over-thermal)(ＣｏＴ)、信号対雑音比(ＳＮＲ)、信号対雑音および干渉比(ＳＩＮＲ)、キャリア対干渉比（Ｃ／Ｉ）等で数量化されることができる。エネルギー／干渉効率を最大化することは、（ｉ）ビットあたりの要求される送信エネルギーを最小化すること、または、（ｉｉ）受信された有用な信号エネルギー単位あたりの受信された干渉エネルギーを最小化すること、を必要としうる。パート（ｉｉ）は、意図されたノードについてのチャネル利得と、すべての干渉されたノードについてのチャネル利得の和と、の比を最大化することと対応することができる。ユーザスループットを最大化することは、様々な要因、例えばノードの負荷（例えば、ノードによって現在サービス提供される局の数）、ノードに対して割り付けられたリソースの量、ノードの利用可能なバックホールキャパシティ、などを考慮することができる。
【００１９】
上述されるサーバ選択についての異なるタイプのメトリックは、異なるシナリオにおいてより良好な性能を提供することができる。例えば、ジオメトリを最大化することは多くの場合においてはダウンリンクに対して良好な性能を提供することができ、負荷またはリソース分割に起因した制限はないと仮定する。経路損失を最小化することは、セル分割利得(cell splitting gains)に起因した異種ネットワークにおける良好な性能を提供することができる。エネルギー/干渉効率を最大化することは、しばしば、経路損失を最小化することと同時に起こることがあり、ある場合においては、より良好な性能を提供することがある。ユーザスループットを最大化することは、多くの場合においてエネルギー/干渉効率を最大化することよりも良好である場合があり、現在のセルの負荷およびリソース分割に基づくことができる。
【００２０】
関連付けは、最初に電源をオンにするときに、局について実行されることができ、最初の関連付け(initial association)と呼ばれることができる。関連付けはまた、局のハンドオーバについて、新しいサービス提供中のノードを選択するために実行されることができる。
【００２１】
関連付けは、いくつかの理由から異種ネットワークにおいて困難でありうる。第１に、異なる送信電力レベルを備えたノード(例えば、マクロ、ピコ、およびフェムト基地局/ノード)は、異種ネットワークにおいてリンクアンバランスシナリオを生成することができる。局における異なるノードからの相対的なダウンリンク信号強度は、各ダウンリンク信号によって観察された経路損失に加え、ダウンリンク信号の送信電力レベルに依存することができる。異なるノードにおける局からの相対的なアップリンク信号強度は、経路損失のみに依存することができる、なぜならば、同じアップリンク信号がこれらのノードによって測定されるからである。ダウンリンク上の最も信号強度の高いノードは、アップリンク上の最も信号強度の高いノードでなくてもよい。例えば、局は、マクロノードのより高い送信電力レベルに起因して、ピコノードがより低い経路損失を有するにも関らず、ピコノードよりもマクロノードについてより高い信号強度を有することができる。ピコノードは、より低い経路損失に起因して、マクロノードよりも局についてより高い信号強度を有するであろう。マクロノードは、ダウンリンク上の最も信号強度の高いノードでありうる、一方で、ピコノードは、アップリンク上の最も信号強度の高いノードでありうる。あるリンク上で最も信号強度の高いノードに接続することは、他のリンク上で強い干渉シナリオ(dominant interference scenario)を結果としてもたらす場合がある。例えば、ダウンリンク上での最も信号強度の高いノードが選択される場合には、局は、ダウンリンク上でマクロノードと通信することができ、アップリンク上でピコノードに対して高い干渉を引き起こしうる。対照的に、アップリンク上での最も信号強度の高いノードが選択される場合には、マクロノードは、ダウンリンク上で局に対して高い干渉を引き起こしうる。
【００２２】
第２に、制約された関連付けを備えたフェムトノードは、局／ＵＥによる関連付けに影響を与えうる。フェムトノードは、１組の認可された局のみに対して、アクセスを制約することができる。認可された局は、信号強度に基づいて、フェムトノードまたはマクロノードのいずれかに接続することができる。認可されていない局は、信号強度にかかわらず、フェムトノードに接続可能でないことがある。制約された関連付けは、強い干渉シナリオを結果としてもたらすことができる。ダウンリンク上で、フェムトノードは、マクロノードと通信している許可されていない局に対して高い干渉を引き起こしうる。アップリンク上で、許可されていない局は、フェムトノードに対して高い干渉を引き起こしうる。
【００２３】
第３に、異種ネットワークにおける異なるノードは、異なるバックホールキャパシティを有することができ、そしてそれは、関連付けに影響を与えうる。マクロノードは、専用の高いキャパシティバックホールリンクを有することができ、フェムトノードは、インターネットサービスプロバイダ(ＩＳＰ)を通じて共有のインターネットリンクを有することができ、リレーは、無線バックホールリンクを有することができる。ノードと局との間のアクセスリンクのキャパシティを最大化することに基づいた関連付けは、バックホールキャパシティが障害(bottleneck)である場合には有用ではない場合がある。リレーは、アクセスリンクとバックホールリンクとの間でそれらのリソースを分割することができ、そしてそれは、リレーにおいてアクセスリンクについての利用可能なリソースに対してさらなる制約を課すことができる。
【００２４】
異種ネットワークにおける関連付けに伴う他の起こりうる問題がありうる。関連付けに伴うこれらの様々な起こりうる問題は、後述されるように、取り組まれることができる。
【００２５】
一態様では、関連付けは、リーケッジに基づいて定義されたメトリックを使用して実行されることができる。リーケッジベースのメトリックは、リーケッジに加え局と候補ノードとの間のチャネル条件を考慮に入れることができる。リーケッジは、特定の局にサービス提供するとき、他の局に対してノードによって引き起こされる干渉として定義されることができる。対照的に、受信信号品質（例えば、ＣｏＴまたはＳＮＲ）は、局についての望ましい信号とその局によって観察された干渉との比である。したがって、リーケッジは、局によって観察された干渉とは異なる。
【００２６】
所与の局ｔについてのサービス提供中のノードを選択するために、メトリックは、局tにサービス提供するかもしれない各候補ノードについての局tについてコンピュートされることができる。アクティブセットは、局tについて維持されることができ、局tにおける、十分に高い受信信号品質または強度を備えたノードを含むことができる。候補ノードは、局tのアクティブセット(active set of station t)におけるノードであることができる。最良のメトリックを備えた候補ノードは、局tにサービス提供するために選択されることができる。
【００２７】
無線ネットワークは、ダウンリンクおよびアップリンクの各々についての１組のリソースをサポートすることができる。利用可能なリソースは、時間、または、周波数、または、時間および周波数、または、他の基準、に基づいて定義されることができる。例えば、利用可能なリソースは、異なる周波数サブ帯域、または、異なる時間インタレース、または異なる時間−周波数ブロックなどに対応することができる。時間インタレースは、均等な間隔の時間スロット、例えばＳ番目の時間スロットごと（Ｓは整数値であってもよい）を含むことができる。利用可能なリソースは全体の無線ネットワークについて定義されることができる。
【００２８】
第１の設計では、局ｔにサービス提供するために選択される場合の候補ノードｐのリーケッジは下記のように表されることができる。
【数１】
2012521682.tif 000003
【００２９】
第１の設計に関しては、ＰＳＤｎｏｍ（ｐ）は、ノードｐの名目送信電力スペクトル密度（ＰＳＤ）であり、Ｇ（ｐ，ｉ）は、ノードｐと別の局ｉとの間のチャネル利得であり、ＩＳ（ｐ，ｔ）は、リーケッジを計算することにおいて検討する、他の局の干渉セット(interference set of other stations)であり、そして、Ｌ１（ｐ，ｔ）は、局ｔにサービス提供する場合のノードｐのリーケッジである。
【００３０】
式（１）で示される第１の設計では、リーケッジは、干渉セットにおける局に対して候補ノードによって引き起こされた干渉の和としてコンピュートされることができる。式（１）は、候補ノードｐが、すべてのリソース上で名目送信ＰＳＤにおいて送信する、そしてそれは、ノードｐの最大送信電力に対応することができる、と仮定する。各局で観察された干渉は、ノードｐの送信ＰＳＤにノードｐとその局との間のチャネル利得を掛けたものと等しい。ＰＳＤｎｏｍ（ｐ）は、式（１）で示されるように、この総計から外に出されている場合がある、なぜならば、すべての局にとっても同じであるからである。式（１）の設計は、送信されたおよび受信された干渉の両方を過剰推定しうる、そして、低い電力ノードに対しバイアスを有する場合がある。
【００３１】
干渉セット(interference set)は、リーケッジを計算するために使用される局を含むことができ、様々な方式で定義されることができる。ある設計では、干渉セットは、候補ノードpによって現在サービス提供されない局を含むことができる(局tを除く)。この設計では、干渉セットは、
【数２】
2012521682.tif 000004
【００３２】
と表されることができる。ここにおいてＳ（ｉ）は、局ｉについてのサービス提供中のノードを表す。
【００３３】
別の設計では、干渉セットは、ノードｐによって現在サービス提供される局に加え、候補ノードｐによってサービス提供されない局を含むことができる（局ｔを除く）。この設計では、干渉セットは、
【数３】
2012521682.tif 000005
【００３４】
と表されることができる。リーケッジは、（ｉ）ノードｐによってサービス提供されない他の局に対して候補ノードｐによって引き起こされた干渉、そして、（ｉｉ）ノードｐによってサービス提供される他の局におけるノードｐから受信された信号電力、を含むであろう。パート（ｉｉ）は、局ｔについて、また、ノードｐによってサービス提供される他の局について、意図された信号電力を含むことができ、パート（ｉｉ）は、望ましい信号でも干渉でもない。それにも関らず、パート（ｉｉ）は、例えば、局ｔがノードｐへとハンドオーバされ現在サービス提供される局に対して割り当てられるいくつかのリソースを割り当てられる場合に現在サービス提供される局が経験しうるバックホールレートまたは帯域幅の損失を説明するために、リーケッジのコンピューテーションの干渉として使用されることができる。この設計は、候補ノードｐのバックホールキャパシティが制限されるとき、より良好な性能を提供することができる。
【００３５】
さらにべつの設計では、干渉セットは、それらのアクティブセットにおいてノードpを有するが候補ノードpによってサービス提供されない局を含むことができる(局tを除く)。アクティブセットは各局について維持されることができ、局において十分な受信信号品質または強度を備えたノードを含むことができる。この設計では、干渉セットは、
【数４】
2012521682.tif 000006
【００３６】
と表されることができ、ＡＳ（ｉ）は、局ｉのアクティブセットを表す。
【００３７】
さらに別の設計では、干渉セットは、それらのアクティブセットにおいて候補ノードpを有する局を含むことができる(局tを除く)。この設計では、干渉セットは、
【数５】
2012521682.tif 000007
【００３８】
と表されることができる。干渉セットはまた、他の方式で定義されることができる。
【００３９】
式（１）の第１の設計は、候補ノードｐはすべてのリソース上で名目送信ＰＳＤを使用する、そしてそれはリーケッジのコンピューテーションを単純化することができる、ということを仮定する。リーケッジは、各リソース上でノードｐの実際の送信ＰＳＤを考慮に入れることによってより精確にコンピュートされることができる。
【００４０】
第２の設計では、局ｔにサービス提供するために選択される場合の候補ノードｐのリーケッジは下記のように表されることができる。
【数６】
2012521682.tif 000008
【数７】
2012521682.tif 000009
【００４１】
第２の設計に関しては、ＰＳＤ（ｐ，ｒ）は、リソースｒ上の候補ノードｐの送信ＰＳＤであり、ＰＳＤａｖｇ（ｐ）は、すべてのリソースにわたる候補ノードｐの平均送信ＰＳＤであり、Ｗ（ｒ）は、リソースｒの帯域幅であり、ＢＷはシステム帯域幅であり、Ｌ２（ｐ，ｔ）は、局ｔにサービス提供する場合のノードｐのリーケッジである。
【００４２】
式（２）で示される第２の設計では、リーケッジは、候補ノードｐの（名目送信ＰＳＤの代わりの）平均送信ＰＳＤに基づいてコンピュートされることができる。すべてのリソースにわたる候補ノードｐの平均送信ＰＳＤは、式（３）に示されるように、各リソース上でノードｐによって使用される送信ＰＳＤに基づいてコンピュートされることができる。式（２）は、各局は候補ノードｐから平均送信ＰＳＤを観察するということを仮定する。式（２）における設計は、送信された干渉の観点から式（１）における設計よりもより精確であることができるが、それでも受信された干渉を過大推定している場合がある。
【００４３】
式（１）および（２）における設計は、干渉セットにおける各局がすべてのリソース上で候補ノードｐからの干渉を観察するということを仮定する。リーケッジは、各局ｉがスケジュールされるかもしれないリソースを決定することと、これらのリソース上で干渉を推定することと、によってより精確にコンピュートされることができる。ある設計では、各局ｉは、各利用可能なリソースのフラクション(fraction of each available resource)を割り当てることが仮定されうる。このフラクションは、α（ｉ，ｒ）として表されることができ、リソースｒが局ｉに対して割り当てられる間の時間のフラクションと見なされることができる。
【００４４】
第３の設計では、局tにサービス提供するために選択される場合の候補ノードpのリーケッジは、下記のように表されることができる。
【数８】
2012521682.tif 000010
【００４５】
第３の設計に関しては、Ｌ３（ｐ，ｔ）は、局ｔにサービス提供する場合のノードｐのリーケッジである。
【００４６】
式（４）で示される第３の設計では、局ｉによる各リソースｒ上で観察された干渉は、リソースｒ上の候補ノードｐの送信ＰＳＤ、リソースｒの帯域幅、ノードｐと局ｉとの間のチャネル利得、および局ｉがリソースｒを割り当てられる時間のフラクション、に基づいて推定されることができる。すべてのリソース上の局ｉによって観察された干渉は、局ｉによって観察された合計干渉を得るために合計されることができる。干渉セットにおけるすべての局によって観察された干渉は、リーケッジを得るために合計されることができる。式（４）における設計は、送信され、そして、受信された干渉の観点から、式（１）および（２）の設計よりも精確であることができる。
【００４７】
式（４）における第３の設計は、候補ノードｐに対するリソースの割り付け（例えば送信ＰＳＤレベル）、そして、干渉セットにおける局に対するリソースの割り当て（例えば、α（ｉ，ｒ）値）を考慮する。割り当て情報は、これらの局のサービス提供中のノードにおいて利用可能であることができる。ある設計では、各ノードは、近隣ノードに対してそのサービス提供される局についての割り当て情報を提供することができ、近隣ノードがリーケッジを計算することを可能にする。別の設計では、各ノードは、そのサービス提供される局についての割り当て情報に基づいて中間の量(intermediate quantities)を計算することができ、そして、近隣ノードに対してこれらの量を送信して、近隣ノードがリーケッジを計算することを可能にすることができる。
【００４８】
式（１）、（２）、および（４）は、リーケッジを計算する３つの設計を示す。式（４）でコンピュートされたリーケッジが式（２）でコンピュートされたリーケッジよりもより精確である、そしてそれは、式（１）でコンピュートされたリーケッジよりもより精確であることができる。しかしながら、漸進的により詳細な情報は、漸進的により精確なリーケッジを計算するのに必要とされうる。リーケッジはまた、他の方式でコンピュートされることができる。例えば、リーケッジは、すべてのリソースについての共通チャネル利得Ｇ（ｐ，ｉ）の代わりに、各リソースｒについてのチャネル利得Ｇ（ｐ，ｉ，ｒ）を使用することによってより精確にコンピュートされることができる。別の例として、候補ノードｐへとハンドオーバされる場合の局ｔに対して割り付けられるべきリソースは、リーケッジに含まれているノードｐによって現在サービス提供される局の信号電力を用いる代わりに、他の方式で、説明されることができる。
【００４９】
一般に、局tにサービス提供するために選択される場合の候補ノードpのリーケッジは、下記のように表されることができる。
【数９】
2012521682.tif 000011
【００５０】
ここにおいて、Ｉ（ｐ，ｉ）は、候補ノードｐからの局ｉによって観察された干渉であり、Ｌ（ｐ，ｔ）は、局ｔにサービス提供される場合のノードｐのリーケッジである。
【００５１】
式（５）では、候補ノードｐからの各局ｉによって観察された干渉は、式（１）、（２）、または（４）に示されるように、または、他の何らかの方式でコンピュートされることができる。式（５）のリーケッジＬ（ｐ，ｔ）は、式（１）のＬ１（ｐ，ｔ）、式（２）のＬ２（ｐ，ｔ）、式（４）のＬ３（ｐ，ｔ）、または他の方式でコンピュートされたリーケッジと同等であることができる。
【００５２】
様々なタイプのメトリックは、リーケッジに基づいて定義され、関連付けに使用されることができる。第１の設計では、関連付けは、最大の信号対リーケッジ比（ＳＬＲ）でノードを選択することによって実行されることができ、そしてそれは、下記のように表されることができる。
【数１０】
2012521682.tif 000012
【００５３】
ここにおいて、Ｇ（ｐ，ｔ）は、候補ノードｐと局ｔとの間のチャネル利得であり、Ｎ０は、局ｔによって観察されたサーマルノイズおよび環境干渉であり、ＳＬＲ（ｐ，ｔ）は、候補ノードｐについての局ｔのＳＬＲである。
【００５４】
式（６）では、分子は、局ｔにおける候補ノードｐからの望ましい信号を含み、分母は、局ｔにおけるＮ０に加え、局ｔについての候補ノードｐのリーケッジを含む。望ましい信号は、（ｉ）式（６）で示されるように、すべてのリソース上で候補ノードｐについての名目送信ＰＳＤ、または、（ｉｉ）候補ノードｐについての平均送信ＰＳＤ、を使用することによってコンピュートされることができる。Ｎ０は、局ｔによって測定／推定され、ＳＬＲのコンピューテーションに含まれることができる、または、無線ネットワーク（例えば、現在のサービス提供中のノード）に対して局ｔによって報告されることができる、または、（例えば、コンピューテーションが候補ノードｐによって行われるとき）無視されることができる。
【００５５】
別の設計では、関連付けは、最大のジオメトリ対リーケッジ比（ＧＬＲ）でノードを選択することによって実行されることができ、そしてそれは、下記のように表されることができる。
【数１１】
2012521682.tif 000013
【数１２】
2012521682.tif 000014
【００５６】
ここにおいて、Ｇｅｏｍｅｔｒｙ（ｐ，ｔ）は、候補ノードｐについて局ｔのジオメトリであり、Ｇ（ｑ，ｔ）は、近隣ノードｑと局ｔとの間のチャネル利得であり、ＧＬＲ（ｐ，ｔ）は、候補ノードｐについての局ｔのＧＬＲである。
【００５７】
ＧＬＲに関する式（７）では、分子は、候補ノードｐについての局ｔのジオメトリを含み、分母は、局ｔにおけるＮ０に加え、局ｔについての候補ノードｐのリーケッジを含む。ジオメトリに関する式（８）では、分子は、局ｔにおける候補ノードｐからの望ましい信号を含み、分母は、Ｎ０に加え、他のノードからの合計干渉を含む。候補ノードｐからの望ましい信号と他のノードからの干渉は、（ｉ）式（８）で示されるように、各ノードについての名目送信ＰＳＤ、または、（ｉｉ）各ノードについての平均送信ＰＳＤ、を使用してコンピュートされることができる。ノードｐおよび他のノードについての名目または平均送信ＰＳＤは、バックホールを介しておよび／または無線で、知られるまたは送信されることができる。ノードｐおよび他のノードについてのチャネル利得は、局ｔからのパイロット測定値に基づいて得られることができる。
【００５８】
さらに別の設計では、関連付けは、最大のスループット対リーケッジ比（ＴＬＲ）でノードを選択することによって実行されることができ、そしてそれは、下記のように表されることができる。
【数１３】
2012521682.tif 000015
【００５９】
ここにおいて、ＴＰ（ｐ，ｔ）は、候補ノードｐについての局ｔの推定されたスループットであり、ＴＬＲ（ｐ，ｔ）は、候補ノードｐについての局ｔのＴＬＲである。
【００６０】
式（９）では、分子は、候補ノードｐについての局ｔのスループットまたはレートを含み、分母は、局ｔにおけるＮ０に加え、局ｔについての候補ノードｐのリーケッジを含む。候補ノードｐについての局ｔのスループットは、様々な方式で推定されることができる。
【００６１】
ある設計では、局tのスループットは、下記のように、ジオメトリに基づいて推定されることができる。
【数１４】
2012521682.tif 000016
【００６２】
ＴＰ１（ｐ，ｔ）は、候補ノードｐについての局ｔのスループットであり、ＲＢＨ（ｐ）は、候補ノードｐのバックホールキャパシティであり、Ｎ（ｐ）は、候補ノードｐによって現在サービス提供される局の数であり、Ｃ（  ）は、キャパシティ関数を表す。
【００６３】
式（１０）では、全体的なスループットは、（ｉ）キャパシティ関数に基づいてスペクトル効率に局ｔについてのジオメトリを変換すること、そして、（ｉｉ）システム帯域幅でスペクトル効率を乗算すること、によって決定されることができる。全体的なスループットは、最小関数を介して候補ノードｐのバックホールキャパシティによって制限されることができる。スループットＴＰ１（ｐ，ｔ）は、全体的なスループットを、ノードｐによって現在サービス提供される局の数に１を足したもので割ることによって得られ、ノードｐへとハンドオーバされる局ｔを説明することができる。式（１０）は、局ｔはノードｐによって現在サービス提供される他の局と同じ利用可能リソースのフラクション(same fraction of the available resource)を割り当てられるであろうということを仮定する。
【００６４】
別の設計では、局tのスループットは下記のように推定されることができる。
【数１５】
2012521682.tif 000017
【００６５】
ＳＥ（ｐ，ｔ，ｒ）は、候補ノードｐについてのリソースｒ上の局ｔのスペクトル効率であり、α（ｔ，ｒ）は、局ｔに対するリソースｒの割り当てであり、０≦α（ｔ，ｒ）≦１であり、ＴＰ２（ｐ，ｔ）は、候補ノードｐについてのすべてのリソース上の局ｔのスループットである。
【００６６】
式（１１）では、全体的なスループットは、各リソースｒ上の局ｔのスペクトル効率、局ｔがリソースｒを割り当てられる時間のフラクション、そして、リソースｒの帯域幅、に基づいて決定されることができる。全体的なスループットは、候補ノードｐのバックホールキャパシティによって制限されることができる。スループットＴＰ２（ｐ，ｔ）は、全体的なスループットを、ノードｐによって現在サービス提供される局の数に１を足したもので割ることによって得られ、ノードｐへとハンドオーバされる局ｔを説明することができる。
【００６７】
候補ノードpについてのリソースr上の局tのスペクトル効率は、下記のように推定されることができる。
【数１６】
2012521682.tif 000018
【００６８】
ＰＳＤ（ｑ，ｒ）は、リソースｒ上の近隣ノードｑの送信ＰＳＤである。
【００６９】
式（１０）および（１１）で示されるように、局ｔのスループットは、ノードｐによって現在サービス提供される局の数に加え、候補ノードｐのバックホールキャパシティを考慮することにより推定されることができる。式（１１）および（１２）で示されるように、局ｔのスループットは、また、候補ノードｐおよび他のノードに対するリソースの割り付け（例えば、送信ＰＳＤレベル）、そして、局ｔに対するリソースの割り当て（例えば、α（ｔ，ｒ）値）を考慮することができる。局ｔのスループットはまた、他の方式で推定されることができる。
【００７０】
式（６）、（７）、および（９）は、リーケッジに基づいて定義される、３つの例示的なタイプのメトリックＳＬＲ、ＧＬＲ、およびＴＬＲを示す。これらの３つのタイプのメトリックは、漸進的により精確であるが、計算するのに漸進的により詳細な情報を必要とする。一般に、メトリックは、上述されるような設計のうちのいずれかを使用してコンピュートされたリーケッジに基づいて定義されることができる。例えば、異なるＴＬＲメトリックは、式（１１）に示されるようなコンピュートされたスループットと、異なる方式でコンピュートされたリーケッジと、に基づいて定義されることができる。第１のＴＬＲは、式（１）で示されるようにコンピュートされたリーケッジに基づいて定義されることができる。第２のＴＬＲは、式（２）で示されるようにコンピュートされたリーケッジに基づいて定義されることができる。第３のＴＬＲは、式（４）で示されるようにコンピュートされたリーケッジに基づいて定義されることができる。
【００７１】
メトリックの精度のレベルは、リーケッジの精度のレベルと整合されうる。例えば、第１の設計に基づいてコンピュートされたリーケッジは、式（１０）で示されるようにコンピュートされたスループットでＳＬＲ、ＧＬＲ、またはＴＬＲを計算するために使用されることができ、各リソースについての情報、例えばＰＳＤ（ｐ，ｒ）を必要としない。第２または第３の設計に基づいてコンピュートされたリーケッジは、式（１１）および（１２）に示されるようにコンピュートされたスループットでＴＬＲを計算するために使用されることができ、そしてそれは、各リソースについての情報、例えばＰＳＤ（ｐ，ｒ）を必要とする。他のタイプのメトリックはまた、リーケッジに基づいて定義されることができる。
【００７２】
ある設計では、局t（例えば、ＵＥまたはリレー）は、局ｔが最初に電源オンにされるとき、または、新しいサービス提供中のノードがハンドオーバについて局ｔについて選択されることとなっているとき、関連付けを実行することができる。局ｔは、候補ノードについての関連情報を得ることができ、その得られた情報に基づいて候補ノードについてのリーケッジベースのメトリックを計算することができる。局ｔは、サービス提供中のノードとして最良のメトリックで候補ノードを選択することができる。
【００７３】
図２は、リーケッジベースのメトリックを使用している関連付けをサポートするために情報の例示的な交換を示す。簡略化のため、図２は、２つのノードｐおよびｑと１つの局ｔのみを示す。一般に、任意の数のノードは、無線ネットワークにおいて存在しうる、そして、各ノードは、任意の数の局にサービス提供することができる。
【００７４】
各ノードは、そのノードによってサービス提供される局についての情報を得ることができる。各局についての情報は、局のアクティブセット、ノードと局との間のチャネル利得、などを含むことができる。各ノードは、その近隣ノードと情報を交換することができる。例えば、各ノードは、アクティブセット、チャネル利得、および各局について割り当てられたリソースに加え、そのノードによって現在サービス提供される１組の局に伝達して情報を送信することができる。各ノードは、近隣ノードから受信された情報に加え、そのノードによって得られた情報に基づいてリーケッジを決定することができる。
【００７５】
一設計では、各ノードは、局によって使用されることができる関連情報を送信する（ブロードキャストする）して、関連付けのためにリーケッジベースのメトリックを計算することができる。例えば、各ノードは、下記のうちの１つまたは複数をブロードキャストすることができる。
【００７６】
１．ノードの名目または平均送信ＰＳＤ
２．ノードのリーケッジ
３．ノードのバックホールキャパシティ
４．ノードによって現在サービス提供される局の数
各ノードはまた、関連付けに使用されることができる他の情報をブロードキャストすることができる。
【００７７】
ノードｐは、近隣ノードと交換された情報に基づいてリーケッジを計算することができる。例えば、ノードｐは、これらの局のアクティブセットに基づいて、ノードｐによってサービス提供されない他の局を識別することができる。ノードｐは、バックホールを介して近隣ノードから他の局のチャネル利得およびアクティブセットに関する情報を得ることができる。
【００７８】
一例として、ノードｐは、３つの局にサービス提供することができ（図２に図示されず）、局１は、ＡＳ（１）＝｛ｐ，ｑ，ｕ，ｖ｝というアクティブセットを有し、局２は、ＡＳ（２）＝｛ｐ，ｕ，ｖ｝というアクティブセットを有し、そして、局３は、ＡＳ（３）＝｛ｐ，ｑ，ｖ｝というアクティブセットを有する。ノードｐは、３つの近隣ノードについての３つの他の局（ＯＳ）セットを形成することができる（図２に図示されず）。近隣ノードｑについてのＯＳセットは局１および局３を含むことができ、近隣ノードｕについてのＯＳセットは、局１および局２を含むことができ、近隣ノードｖについてのＯＳセットは、局１、局２、および局３を含むことができる。ノードｐは、近隣ノードｑ、ｕ、およびｖに対して、これらのＯＳセットにおける局についてのチャネル利得に加え、これら３つのＯＳセットを送信することができる。ノードｐはまた、これらのＯＳセットにおける各局についてのチャネル利得に加え、ノードｐについての近隣ノードｑ、ｕ、およびｖによって生成された３つのＯＳセットを受信することができる。ノードｐは、３つの受信されたＯＳセットの和集合(union of the three received OS sets)に基づいて、干渉セットＩＳ（ｐ）を形成することができる。干渉セットは、ノードｐによってサービス提供されないがそれらのアクティブセットにおいてノードｐを有する局を含むであろう。ノードｐは、例えば式（１）または（２）に示されるように、干渉セットにおける局およびそれらのチャネル利得に基づいてリーケッジＬ（ｐ）を計算することができる。各ノードがそのサービス提供される局についての割り当て情報（例えばα（ｔ，ｒ）値）とその割り付けられたリソースについての情報（例えば、送信ＰＳＤレベル）を送信する場合には、ノードｐは、例えば式（４）で示されるように、追加情報にさらに基づいてリーケッジＬ（ｐ）を計算することができる。あるいは、ノードｐは、各近隣ノードｑから部分的なリーケッジ量（例えば、ノードｐによってサービス提供される局に対してノードｑによって引き起こされたリーケッジ）を受信することができ、すべての近隣ノードから受信された量に基づいて全体的なリーケッジを計算することができる。ノードｐは、局に対して無線でそのリーケッジＬ（ｐ）をブロードキャストすることができる。
【００７９】
局ｔはノードｑによってサービス提供されることができ、起こりうるハンドオーバについて、異なる候補ノードを評価することができる。局ｔは、各候補ノードによってブロードキャストされたリーケッジを受信することができる。局ｔは、下記のように、候補ノードｐから受信されたリーケッジＬ（ｐ）から、その寄与を取り除くことができる。
【数１７】
2012521682.tif 000019
【００８０】
ここにおいて、Ｉ（ｐ，ｔ）は、候補ノードｐからの局ｔによって観察された干渉である。局ｔは、ノードｐの名目または平均送信ＰＳＤと、局ｔとノードｐとの間のチャネル利得と、を使用して干渉Ｉ（ｐ，ｔ）を計算することができる。
【００８１】
局ｔはまた、コンピュートされたリーケッジＬ（ｐ，ｔ）とノードｐについて得られた他の情報とに基づいて、各候補ノードｐについてのリーケッジベースのメトリックを計算することが出来る。局ｔは、すべての候補ノードについてコンピュートされるメトリックに基づいて新しいサービス提供中のノードを選択することができる。
【００８２】
別の設計では、所与のノードｐ（例、基地局またはリレー）は、ノードｐによって現在サービス提供される局ｔについての新しいサービス提供中のノードを選択するために、関連付けを実行することができる。ノードｐは、（例えば、バックホールを介して）候補ノードについての関連情報を得ることができ、そして、その得られた情報に基づいて、局ｔについての候補ノードについてのリーケッジベースのメトリックを計算することができる。ノードｐは、局ｔについての新しいサービス提供中のノードとして最良のメトリックで候補ノードを選択することができる。
【００８３】
ここに説明されるリーケッジベースのメトリックは、関連付けに通常使用される他のメトリックよりも良好な性能を提供することができる。他のメトリックは、サービス提供中のノードが選択されるべきである局に関連した量(例えば、ジオメトリ、経路損失、またはスループット)に基づいて一般的に定義される。対照的に、リーケッジベースのメトリックは、リーケッジまたは他の局に対して引き起された干渉を含む。したがって、リーケッジは、局についてのサービス提供中のノードとして、所与ノードを選択することと関連付けられたコストを数量化するために使用されることができる。このコストを関連付けについて考慮することは、局についてのより適切なサービス提供中のノードを選択することを結果としてもたらすことができる。
【００８４】
別の態様では、リーケッジベースのメトリックを使用している関連付けは、ノードに対して、場合によっては、リレーのアクセスリンクおよびバックホールリンクに対して、利用可能なリソースを割り付けるリソース分割に関連して実行されることができる。関連付けは、各ノードによってサービス提供される１組の局を決定するために実行されることができる。リソース分割は、１組のノードに対して、場合によってはリレーのアクセスリンクおよびバックホールリンク間で、利用可能なリソースを割り付けるために実行されることができる。したがって、リソース分割は、リーケッジベースのメトリックを使用している関連付けの結果を考慮することができる。
【００８５】
ある設計では、適合アルゴリズムは、リソース分割に使用されることができる。アルゴリズムは、現在の動作シナリオを考慮することができるという点で適合性を有し、そしてそれは、無線ネットワークの異なる部分ごとに異なりうる、また時間にわたって変化しうる。適合アルゴリズムは、分散型の方式で各ノードによって実行されることができ、１組のノードにわたって、または、場合によっては全体の無線ネットワーク上で、効用関数を最大化することを試みることができる。
【００８６】
図３は、リソース分割を実行するためのプロセス３００の設計を図示する。プロセス３００は、分散型の設計については、１組のノード（近隣セット）における各ノードによって実行されることができる。近隣セットは、基地局に対応するノードを含むことができ、また、リレーに対応するノードを含むことができる。明瞭にするため、プロセス３００は、ノードｐについて後述されており、そしてそれは、基地局またはリレーであることができる。
【００８７】
ノードｐは、例えばバックホールを介してまたは他の手段を通じて、近隣セットにおける各ノードについてのリソースの現在の割り付けを得ることができる（ステップ３１２）。ダウンリンクの場合、ノードについての割り付けられたリソースは、利用可能なリソースについての送信ＰＳＤレベルのリストによって定義されることができ、各利用可能なリソースにつき１つの送信ＰＳＤレベルがある。各リソースについての送信ＰＳＤレベルは、リソース上のノードについて許容された送信ＰＳＤを示すことができる。ノードｐは、ノードｐによって現在サービス提供される１組の局を決定することができる（ステップ３１４）。
【００８８】
ノードｐは、ノードｐおよび／または近隣ノードによって実行されることができるリソース分割に関連する起こりうるアクションのリストを決定することができる（ステップ３１６）。リソース分割についての起こりうるアクションは、近隣セットにおける各近隣ノードについてのリソースの特定割り付けに加え、ノードｐについてのリソースの特定割り付けをカバーすることができる。起こりうるアクションは、特定リソース上でその送信ＰＳＤを変更させているノードｐ、および／または、リソース上でその送信ＰＳＤを変更させている近隣ノード、を必要としうる。異なる起こりうるアクションはまた、１つまたは複数のリレーのアクセスリンクおよびバックホールリンク間で、リソースの異なる分割について定義されることができる。
【００８９】
ノードｐは、異なる起こりうるアクションについてのローカルメトリックを計算することができる（ブロック３１８）。例えば、ローカルメトリックは、特定アクションａについてノードｐによって達成される全体的なレートを示すことができ、下記のようにコンピュートされることができる。
【数１８】
2012521682.tif 000020
【００９０】
ここにおいて、Ｒ（ｐ，ｔ，ａ）は、アクションａについてノードｐについての局ｔによって達成されるレートであり、Ｕ（ｐ，ａ）は、アクションａについてノードｐについてのローカルメトリックである。
【００９１】
各局についてのレートＲ（ｐ，ｔ，ａ）は、式（１１）の分母の総計で示されるようにコンピュートされることができる。一般に、各起こりうるアクションについてのノードｐについてのローカルメトリックは、効用関数に依存することができ、そしてそれは、ユーザレートの和、ユーザレートの最小、ユーザレートの対数の和、または、他の何らかのレート、レイテンシ、キュー・サイズなどの関数、に基づいて定義されることができる。
【００９２】
異なる起こりうるアクションについてのローカルメトリックは、異なる起こりうるアクションについての全体的なメトリックを計算するために、近隣ノードに加え、ノードｐによって使用されることができる。ノードｐは、ａ∈Ａの場合、近隣ノードに対して、コンピュートされたローカルメトリックＵ（ｐ，ａ）を送信することができる、ここにおいて、Ａは、起こりうるアクションのリストを表す（ブロック３２０）。ノードｐはまた、ａ∈Ａの場合、近隣セットにおける各近隣ノードｑから、ローカルメトリックＵ（ｑ，ａ）を受信することができる（ブロック３２２）。ノードｐは、コンピュートされたローカルメトリックと受信されたローカルメトリックとに基づいて、異なる起こりうるアクションについての全体的なメトリックを計算することができる（ブロック３２４）。例えば、全体的なメトリックは、各起こりうるアクションａについてコンピュートされることができる。
【数１９】
2012521682.tif 000021
【００９３】
Ｖ（ａ）は、起こりうるアクションａについての全体的なメトリックである。式（１５）の総計は、ノードｐ以外の近隣セットにおけるすべての近隣ノードにわたる。
【００９４】
メトリックコンピューテーションを完了した後で、ノードｐは、最良の全体メトリックでアクションを選択することができる（ブロック３２６）。各近隣ノードは、異なる起こりうるアクションについての全体的なメトリックを同様に計算することができ、また最良の全体的なメトリックでアクションを選択することができる。ノードｐおよび近隣ノードは、それらが同じセットのローカルメトリック上で動作する場合には同じアクションを選択すべきである。各ノードは、選択されたアクションに関して互いに通信する必要なく、選択されたアクションに基づいて動作することができる。しかしながら、ノードｐおよびその近隣ノードは、異なるローカルメトリック上で動作することができ、異なる最良の全体メトリックを得ることができる。これは、例えばノードｐおよびその近隣ノードが異なる近隣セットを有する場合でありうる。この場合においては、ノードｐは、どのアクションをとるかを決定するために近隣ノードとネゴシエートすることができる。このことは、複数ノード間でいくつかの見込みのあるアクションについての全体的なメトリックを交換すること、そして、出来るだけ多くのノードの良好な性能を提供することができるアクションを選択すること、を必要としうる。
【００９５】
最良のアクションがどのように選択されるかに関らず、その選択されたアクションは、ノードｐについてのリソースの特定割り付けと関連付けられている。ノードｐは、選択されたアクションによって、ノードｐに対して割り付けられたリソース上でその局と通信することができる（ブロック３２８）。ノードｐについての割り付けられたリソースは、送信ＰＳＤレベルのリストによって定義されることができ、各利用可能なリソースにつき１つの送信ＰＳＤレベルがある。ノードｐは、各利用可能なリソースについて、指定された送信ＳＰＤレベルを使用することができる。
【００９６】
明瞭にするため、リソース分割はダウンリンクについて説明されている。リソース分割はまた、アップリンクについても同様な方式で実行されることができる。ある設計では、１組のターゲット干渉対サーマル（ＩｏＴ）レベルは、ダウンリンクについての１組のＰＳＤレベルと同様な方式でアップリンク上のリソース分割に使用されることができる。あるターゲットＩｏＴレベルがアップリンク上で各リソースについて選択されることができ、各リソース上の各局からの送信は、局のアクティブセットにおける各近隣ノードにおけるそのリソース上での実際のＩｏＴは近隣ノードにおけるそのリソースについてのターゲットＩｏＴレベル、または、未満であるように、制御されることができる。効用関数は、アップリンク上でのデータ送信の性能を数量化するように定義されることができ、ダウンリンクについて上述されるような関数のうちいずれか、例えばユーザレートの和の関数、であることができる。アップリンク上の各局のレートは、送信電力、チャネル利得、ターゲットＩｏＴレベルなどであることができる。ローカルメトリックおよび全体的なメトリックは、効用関数に基づいて異なる起こりうるアクションについてコンピュートされることができる。各起こりうるアクションは、近隣セットにおける各ノードについてのすべての利用可能なリソースについてのターゲットＩｏＴレベルのリストと関連付けられることができる。最良の全体的メトリックで起こりうるアクションは、使用するために選択されることができる。
【００９７】
図４は、無線ネットワークにおける通信をサポートするためのプロセス４００の設計を図示する。プロセス４００は、ＵＥ、リレー、基地局、または、他の何らかのエンティティによって実行されることができる。少なくとも１つのメトリックは、局による起こりうる関連付けのために、少なくとも１つの候補ノードについて決定されることができる（ブロック４１２）。各候補ノードについてのメトリックは、候補ノードのリーケッジに基づいて決定されることができる。局についてのサービス提供中のノードは、少なくとも１つのメトリックに基づいて少なくとも１つの候補ノードの中から選択されることができる（ブロック４１４）。
【００９８】
各候補ノードのリーケッジは、候補ノードによってサービス提供されない、該局を除く、局における候補ノードに起因した干渉を備えることができる。各候補ノードのリーケッジは、候補ノードによってサービス提供される局における候補ノードについての受信信号電力をさらに備えることができる。各候補ノードのリーケッジは、例えば式（１）、（２）、または（４）で示されるように、候補ノードについての各リソース上の、名目送信ＰＳＤ、平均送信ＰＳＤ、または、送信ＰＳＤ、に基づいて決定されることができる。各候補ノードのリーケッジは、候補ノードと候補ノードによってサービス提供されない局との間のチャネル利得にさらに基づいて決定されることができる。
【００９９】
ある設計では、各候補ノードについてのメトリックは、例えば式（６）で図示されるように、候補ノードのリーケッジと局における候補ノードについての望ましい信号とに基づいて決定されたＳＬＲを備えることができる。別の設計では、各候補ノードについてのメトリックは、例えば式（７）で示されるように、候補ノードについての局によって達成されるジオメトリと、候補ノードのリーケッジと、に基づいて決定されたＧＬＲを備えることができる。さらに別の設計では、各候補ノードについてのメトリックは、例えば式（９）で示されるように、候補ノードについての局の推定されたスループットと候補ノードのリーケッジとに基づいて決定されたＴＬＲを備えることができる。ある設計では、各候補ノードについての局のスループットは、例えば式（１０）で示されるように、候補ノードについての局によって達成されるジオメトリに基づいて推定されることができる。別の設計では、候補ノードについての局のスループットは、例えば式（１１）および（１２）に示されるように、候補ノードによって局に対して割り当てられたリソースと、割り当てられたリソースについての候補ノードの送信ＰＳＤレベルと、候補ノードと局との間のチャネル利得と、に基づいて推定されることができる。候補ノードについての局のスループットは、例えば式（１０）および（１１）に示されるように、候補ノードのバックホールキャパシティ、または、候補ノードによって現在サービス提供される局の数、および／または他の情報、にさらに基づいて推定されることができる。
【０１００】
ある設計では、ブロック４１２および４１４は、局によって実行されることができる。この設計では、ノードは、局によって使用するための情報を（例えば、ブロードキャスト、ユニキャスト、またはバックホールを介して）送信して、関連付けのためにメトリックを計算することができる。情報は、ノードの（名目または平均の）送信ＰＳＤ、ノードのリーケッジ、ノードのバックホールキャパシティ、ノードによって現在サービス提供される局の数、および／または他の情報を備えることができる。別の設計では、ブロック４１２および４１４は、局の現在のサービス提供中のノードによって、または、指定されたエンティティによって、実行されることができる。この設計では、ノードは、関連付けのためにメトリックを計算することに使用するために、近隣ノードに対してバックホールを介して情報を送信することができる。両方の設計に関して、局はＵＥを備えることができ、少なくとも１つの候補ノードは、少なくとも１つの基地局および／または少なくとも１つのリレーを備えることができる。あるいは、局はリレーを備えることができ、少なくとも１つの候補ノードは、少なくとも１つの基地局または少なくとも１つのリレー（例、マルチホップ用）を備えることができる。
【０１０１】
サービス提供中のノードによって局に対して割り当てられた少なくとも１つのリソースは、決定されることができる（ブロック４１６）。少なくとも１つのリソースは、リソース分割によってサービス提供中のノードに対して割り付けられた１組のリソースからのものであることができる。リソース分割は、局について選択されたサービス提供中のノードを考慮することができ、図３で示されるように実行することができる。局とサービス提供中のノードとの間の通信は、少なくとも１つのリソース上で生じうる（ブロック４１８）。
【０１０２】
図５は、無線ネットワークにおいて通信をサポートするための装置５００の設計を示す。装置５００は、局による起こりうる関連付けのために、少なくとも１つの候補ノードについての少なくとも１つのメトリックを決定するモジュール５１２、なお、各候補ノードについてのメトリックは、候補ノードのリーケッジに基づいて決定される；少なくとも１つのメトリックに基づいて少なくとも１つの候補ノードの中から局についてのサービス提供中のノードを選択するモジュール５１４；サービス提供中のノードによって局に対して割り当てられた少なくとも１つのリソースを決定するモジュール５１６；少なくとも１つのリソース上で局とサービス提供中のノードとの間で通信するモジュール５１８；を含む。
【０１０３】
図５のモジュールは、プロセッサ、電子デバイス、ハードウェアデバイス、電子コンポーネント、論理回路、メモリ、ソフトウェアコード、ファームウェアコード等、またはそれらのいずれの組み合わせを備えることができる。
【０１０４】
図６は、ノード６００と局６５０の設計のブロック図を示す。ノード６００は、基地局またはリレーであってもよい。局６５０は、リレーまたはＵＥであってもよい。ノード６００は、Ｔアンテナ６３４ａ〜６３４ｔを具備し、局６５０は、Ｒアンテナ６５２ａ〜６５２ｒを具備する、なお、一般的にＴ≧１でＲ≧１である。
【０１０５】
ノード６００上で、送信プロセッサ６２０は、１つまたは複数の局についてのデータソース６１２からデータを受信し、コントローラ／プロセッサ６４０から制御情報を受信することができる。プロセッサ６２０は、それぞれ、データおよび制御情報を処理して（例えばエンコードし、インタリーブし、そして変調する）、データシンボルと制御シンボルを得ることができる。プロセッサ６２０はまた、パイロットまたは基準信号のパイロットシンボルを生成することができる。送信（ＴＸ）マルチプルインプットマルチプルアウトプット（ＭＩＭＯ）プロセッサ６３０は、適用可能である場合には、データシンボル、制御シンボル、および／またはパイロットシンボルに関して空間処理（例えば、プレコーディング）を実行することができ、Ｔ変調器（ＭＯＤ）６３２ａ〜６３２ｔに対してＴ出力シンボルストリームを提供することができる。各変調器６３２は、それぞれの出力シンボルストリーム（例、ＯＦＤＭ用など）を処理して、出力サンプルストリームを得ることができる。各変調器６３２は、出力サンプルストリームをさらに処理して（例えば、アナログ変換し、増幅し、フィルタにかけ、そしてアップコンバートする）、ダウンリンク信号を得ることができる。変調器６３２ａ−６３２ｔからのＴダウンリンク信号は、それぞれ、Ｔアンテナ６３４ａ−６３４ｔを介して送信されることができる。
【０１０６】
局６５０で、アンテナ６５２ａ〜６５２ｒは、ノード６００からダウンリンク信号を受信することができ、それぞれ、復調器（ＤＥＭＯＤ）６５４ａ〜６５４ｒに対して受信信号を提供することができる。各復調器６５４は、その受信信号を条件づけて（例えば、フィルタにかけ、増幅し、ダウンコンバートし、そしてデジタル化する）、入力サンプルを得ることができる。各復調器６５４は、入力サンプル（例、ＯＦＤＭ用など）をさらに処理して、受信シンボルを得ることができる。ＭＩＭＯ検出器６５６は、すべてのＲ復調器６５４ａ〜６５４ｒから受信シンボルを得て、適用可能である場合には受信シンボルに対してＭＩＭＯ検出を実行し、そして、検出されたシンボルを提供することができる。受信プロセッサ６５８は、検出されたシンボルを処理し（例えば、復調し、デインタリーブし、そして復号し）、データシンク６６０に対して局６５０についての復号されたデータを提供し、コントローラ／プロセッサ６８０に対して復号された制御情報を提供することができる。
【０１０７】
アップリンク上では、局６５０で、送信プロセッサ６６４は、データソース６６２からデータを、そして、コントローラ／プロセッサ６８０から制御情報を受信し処理することができる。プロセッサ６６４はまた、パイロットまたは基準信号についてのパイロットシンボルを生成することができる。送信プロセッサ６６４からのシンボルは、適用可能である場合にはＴＸ ＭＩＭＯプロセッサ６６６によって処理され、（例えば、ＳＣ−ＦＤＭ、ＯＦＤＭ、などのための）変調器６５４ａ〜６５４ｒによってさらに処理され、そして、ノード６００に対して送信されることができる。ノード６００で、局６５０からのアップリンク信号は、アンテナ６３４によって受信され、復調器６３２によって処理され、適用可能である場合にはＭＩＭＯ検出器６３６によって検出され、受信プロセッサ６３８によってさらに処理されて、局６５０により送信された、復号されたデータおよび制御情報を得ることができる。プロセッサ６３８は、データシンク６３９に対して復号されたデータを提供し、コントローラ／プロセッサ６４０に対して復号された制御情報を提供することができる。
【０１０８】
コントローラ／プロセッサ６４０および６８０は、それぞれ、ノード６００および局６５０においてオペレーションを命令することができる。チャネルプロセッサ６８４はパイロット測定を行うことができ、そしてそれは、局６５０についてのアクティブセットを決定するために、そして、チャネル利得、スループット、メトリック、等を計算するために、使用されることができる。プロセッサ６４０および／またはノード６００における他のプロセッサおよびモジュールは、図３のプロセス３００、図４のプロセス４００および／またはここに説明されるような技法の他のプロセスを実行または命令することができる。プロセッサ６８０および／またはノード６５０における他のプロセッサおよびモジュールは、図４のプロセス４００および／またはここに説明されるような技法の他のプロセスを実行または命令することができる。メモリ６４２および６８２は、それぞれ、ノード６００と局６５０についてのデータおよびプログラムコードを保存することができる。スケジューラ６４４は、ダウンリンクおよび／またはアップリンク上のデータ送信のために局をスケジュールすることができる。
【０１０９】
当業者は、情報と信号は、さまざまな異なる技術および技法のうちのいずれかを使用して、表されることができるということを理解するであろう。例えば、上記の説明の全体にわたって参照されることができる、データ、命令、コマンド、情報、信号、ビット、シンボル、およびチップは、電圧、電流、電磁波、磁場あるいは磁粒子、光場あるいは光学粒子、あるいはそれらのいずれの組み合わせ、によって表わされることができる。
【０１１０】
当業者は、様々な説明のための論理ブロック、モジュール、回路、および、ここにおける開示に関連して説明されたアルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般的に、それらの機能性という観点から、上記に説明されてきた。そのような機能性がハードウェアあるいはソフトウェアとしてインプリメントされるかどうかは、特定のアプリケーションと全体のシステムに課された設計制約によって決まる。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【０１１１】
ここにおける開示に関連して説明された様々な説明のための論理、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての1以上のマイクロプロセッサ、あるいはいずれの他のそのような構成のもの、としてインプリメントされることができる。
【０１１２】
ここにおける開示と関連して説明された方法またはアルゴリズムのステップは、直接ハードウェアにおいて、プロセッサによって実行されるソフトウェアモジュールにおいて、または、二つの組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されていてもよい。プロセッサと記憶媒体は、ＡＳＩＣにおいて常駐することができる。ＡＳＩＣは、ユーザ端末に常駐することができる。あるいは、プロセッサと記憶媒体は、ユーザ端末において、ディスクリートコンポーネントとして常駐することができる。
【０１１３】
１つまたは複数の例示的な設計では、記載された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１つまたは複数の命令あるいはコードとして、保存または送信されることができる。コンピュータ可読媒体は、ある場所から別の場所へとコンピュータプログラムのトランスファを容易にするいずれの媒体も含んでいる、コンピュータ記憶媒体と通信媒体の両方を含む。記憶媒体は、汎用コンピュータまたは専用コンピュータによってアクセスされることができる、いずれの利用可能な媒体であることができる。限定されないが例として、このようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令またはデータ構造の形式で望ましいプログラムコード手段を保存または搬送するために使用されることができる、また、汎用または専用コンピュータ、または、汎用または専用プロセッサによってアクセスされることができる、任意の他の媒体も備えることができる。また、いずれの接続もコンピュータ可読媒体(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(ＤＳＬ)、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体の定義に含まれる。ここで使用されるように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。上記のものの組み合わせも、また、コンピュータ可読媒体の範囲内に含まれるべきである。
【０１１４】
本開示の上述の説明は、当業者が本開示を行うまたは使用することを可能にするために提供される。本開示に対する様々な修正は、当業者にとっては容易に明らかであろう、そして、ここにおいて定義された包括的な原理は、本開示の精神あるいは範囲から逸脱することなく、他の変形に適用されることができる。したがって、本開示は、ここにおいて記載される例および設計に限定されるようには意図されていないが、ここに開示された原理および新規な特徴に整合する最も広い範囲が与えられるべきである。
【図１】
2012521682.tif 000022
【図２】
2012521682.tif 000023
【図３】
2012521682.tif 000024
【図４】
2012521682.tif 000025
【図５】
2012521682.tif 000026
【図６】
2012521682.tif 000027
【国際調査報告】
2012521682.tif 000028
2012521682.tif 000029